(57)【要約】【課題】本発明は、構造をより丈夫で、頻繁に使用しても故障しにくい傘の下ろくろ係脱装置を提供する。【解決手段】傘の開閉を行うため、前記傘の中棒に沿って摺動可能に取り付けられる下ろくろと、前記中棒の長手方向を横断する所定の方向に移動できるように前記下ろくろに設けられており、且つ、前記中棒の横断方向の移動により前記下ろくろの前記中棒に対する摺動を不可能にする第一状態と、該摺動を可能にする第二状態との間に切り替えることができるように構成されている係止手段と、前記下ろくろの外面に、前記中棒の長手方向に移動できるように設けられており、且つ、前記中棒の長手方向の移動で前記係止手段の前記第二状態と前記第一状態との切替えを操作することができるように構成されている操作ユニットとからなっているアセンブリーを備えている傘の下ろくろ係脱装置を提供する。【選択図】図３
2010142635.tif 000002
【特許請求の範囲】
【請求項１】
傘の開閉を行うために、前記傘の中棒の長手方向に沿って摺動可能に取り付けられる下ろくろと、
前記中棒の長手方向を横断する所定の方向に移動できるように前記下ろくろに設けられており、且つ、前記中棒の横断方向の移動により前記下ろくろの前記中棒に対する摺動を不可能にする第一状態と、該摺動を可能にする第二状態とに切り替えることができるように構成されている係止手段と、
前記下ろくろの外面に、前記中棒の長手方向に移動できるように設けられており、且つ、前記中棒の長手方向の移動によって前記係止手段の前記第二状態と前記第一状態との切替えを操作することができるように構成されている操作ユニットとからなっているアセンブリーを備えていることを特徴とする傘の下ろくろ係脱装置。
【請求項２】
前記アセンブリーは、更に、前記傘の中棒に取り付けられた場合、前記係止手段が通常前記第二状態を呈する位置に配置され、前記操作ユニットの操作により開傘位置に押動されると前記第一状態を呈する位置に移動できるように構成されていることを特徴とする請求項１に記載の傘の下ろくろ係脱装置。
【請求項３】
前記中棒に設置されている係止機構をさらに備え、
該係止機構は、前記アセンブリーが前記傘の中棒に取り付けられた状態で、開傘位置に押動された場合、前記第一状態を呈した係止手段を係止することができるように構成されていることを特徴とする請求項１に記載の傘の下ろくろ係脱装置。
【請求項４】
前記下ろくろには、横断方向に該下ろくろを貫通する通路が形成されており、
該通路には、前記係止手段が横断方向に移動可能に設けられていることを特徴とする請求項２に記載の傘の下ろくろ係脱装置。
【請求項５】
前記係止手段は、略円環形であり、前記アセンブリーが前記傘の中棒に取り付けられた場合に、前記中棒に挿し通すことができるように構成され、且つ、その外周面に第一カム面が突出するように設けられ、
該第一カム面は、前記アセンブリーが前記傘の中棒に取り付けられ、且つ、前記操作ユニットの前記長手方向の移動により前記中棒の閉傘側から開傘側へと前記係止機構まで押動される場合、前記操作ユニットからの前記長手方向にかかる押動力を前記横断方向に変えて係止手段を前記第一状態を呈する位置に移動させることができるように形成されていることを特徴とする請求項３に記載の傘の下ろくろ係脱装置。
【請求項６】
前記係止手段の外周面に、更に、第二カム面が突出するように設けてあり、
該第二カム面は、前記アセンブリーが前記傘の中棒に取り付けられ、且つ、前記操作ユニットの前記長手方向の移動により前記係止機構から前記閉傘側へと押動される場合、前記操作手段ユニットからの前記長手方向にかかる押動力を前記横断方向に変えて前記係止手段を前記第二状態を呈する位置に移動させることができるように形成されていることを特徴とする請求項５に記載の傘の下ろくろ係脱装置。
【請求項７】
前記第一カム面は、前記係止手段の前記開傘側の端縁に設けられており、前記第二カム面は、前記係止手段の前記閉傘側の端縁に設けられていることを特徴とする請求項６に記載の傘の下ろくろ係脱装置。
【請求項８】
前記係止機構は、傘の管形中棒に開けてある通孔であり、
前記係止手段の前記中棒に向かう内周面には係止ブロックが形成され、
該係止ブロックは、前記アセンブリーが前記傘の中棒に取り付けられ、且つ、前記操作ユニットの長手方向の移動により前記中棒の前記閉傘側から前記開傘側へと前記係止機構まで押動されて前記係止手段が前記第一状態を呈する位置に移動した場合、前記通孔に入って該通孔に係止されることができるように構成されていることを特徴とする請求項７に記載の傘の下ろくろ係脱装置。
【請求項９】
前記係止機構は、傘の中棒に出没可能に設置されているハジキであり、
前記係止手段の前記中棒に向かう内周面に係止ブロックが形成され、
該係止ブロックは、前記アセンブリーが前記傘の中棒に取り付けられ、且つ、前記操作ユニットの長手方向の移動により前記中棒の前記閉傘側から前記開傘側へと前記係止機構まで押動されて前記係止手段が前記第一状態を呈する位置まで移動する場合、前記ハジキを一時押して陥没させ、次いで前記ハジキを乗り越えたところにおいて撥ね返ったハジキに係止されることができるように構成されていることを特徴とする請求項７に記載の傘の下ろくろ係脱装置。
【請求項１０】
前記操作ユニットは円環形となっており、該円環形における内周面の互いに向かい合っている両側に、それぞれ、前記アセンブリーが前記傘の中棒に取り付けられ、且つ、前記操作ユニットの長手方向の移動により前記中棒の前記閉傘側から前記開傘側へと前記係止機構まで押動される場合、前記第一カム面を押動して前記係止手段を前記第一状態を呈する位置に移動させることができる第一肩面と、前記係止機構から閉傘側へと押動される場合、前記第二カム面を押動して前記係止手段を前記第二状態を呈する位置に移動させることができる第二肩面とが形成されていることを特徴とする請求項７に記載の傘の下ろくろ係脱装置。
【請求項１１】
前記操作ユニットにおける前記内周面の、
前記第一肩面を有する部分は、更に、前記第一肩面の前記閉傘側に連続している小径面と前記開傘側に連続している大径面とを有して階段状に構成され、且つ、前記操作ユニットが押動されて前記係止手段を前記第二状態を呈する位置に移動させた場合、前記小径面が前記係止手段の外表面と当接し、前記大径面の前記開傘側にある先端縁が前記第一カム面の前記開傘側にある先端縁近くに臨むようになっており、
前記第二肩面を有する部分は、更に、該第二肩面の前記閉傘側に連続している大径面と前記開傘側に連続している小径面とを有して階段状に構成され、且つ、前記操作ユニットが押動されて前記係止手段を前記第一状態を呈する位置に移動させた場合、前記小径面が前記係止手段の外表面と当接し、前記大径面が前記第二カム面に臨むように構成されていることを特徴とする請求項１０に記載の傘の下ろくろ係脱装置。
【請求項１２】
前記下ろくろは、二枚の端板と、該二枚の端板の間の両側に、互いに平行に、前記通路を形成するように配置構成されている二枚の側板とから構成されており、
前記操作ユニットの内周面に前記二枚の側板をそれぞれ摺動可能に収容して前記操作ユニットを前記下ろくろの外面に移動可能にすることができる二つの溝が形成されていることを特徴とする請求項１０に記載の傘の下ろくろ係脱装置。
【発明の詳細な説明】
【技術分野】
【０００１】
本発明は、傘の下ろくろ係脱装置に関する。
【背景技術】
【０００２】
傘の下ろくろ係脱装置とは、傘の中棒に対して摺動しながら骨組みを介して生布を開傘又は閉傘する下ろくろと、開傘状態時の下ろくろを保持又はリリースする機構とからなる仕組み全体を言う。
【０００３】
例えば、特許文献１に記載の傘における下ろくろ係脱装置は、図１に示すように、下ろくろ２と、係止手段２０１と、係止機構１０１と、操作ユニット３とからなっている。
【０００４】
係止機構１０１は、傘の中棒１の表面に形成されている段差であって、下ろくろ２の下向きの移動を防止するものである。
【０００５】
係止手段２０１は、下ろくろ２における周壁の一部となっていて、上部を外から押されると中棒１方向へ弾性的に突出することができるものである。
【０００６】
操作ユニット３は、下ろくろ２の外側に中棒１の長手方向（即ち図中における上下方向）に摺動可能に設けられているとともに、その摺動により下ろくろ２を上へ係止手段２０１が係止機構１０１まで到達するように押動し、係止手段２０１を外から押して中棒１へ突出させて係止機構１０１と係止させ、下ろくろ２の下向きの移動を防止することができるように構成されているものである。
【０００７】
また、特許文献２に記載の下ろくろ係脱装置は、係止機構以外の部分がアセンブリーとなっている。
【０００８】
図２に示すように、該アセンブリーにおける係止手段５は、下ろくろ４の周壁に嵌め込まれており、その外周面にある突出部５０１が下から押されると係止手段５の上部が内側へ回動し、下部が外側へ回動できるように枢支されている。操作ユニット６は、下ろくろ４の外側に前記長手方向に摺動可能に設けられており、且つ、開傘方向に押されて、その内周面にある環状突起６０１が係止手段５の突出部５０１を押すと、係止手段５の係止部５０２が内側に回動し、中棒の係止機構（図示せず）と係止することで、下ろくろ４の閉傘方向の移動を防止することができるように構成されている。
【先行技術文献】
【特許文献】
【０００９】
【特許文献１】米国特許第６７５８２２９号
【特許文献２】米国特許第７２８１５４２号
【発明の概要】
【発明が解決しようとする課題】
【００１０】
しかしながら、特許文献１における傘の下ろくろ係脱装置は、中棒１にある係止機構１０１と係脱する係止手段２０１がその弾性変形部により下ろくろ２と一体になっているので、頻繁に変形することによって破壊、又は下ろくろ２から剥離するといった故障が生じ易い、という欠点がある。
【００１１】
また、特許文献２における傘の下ろくろ係脱装置は、中棒にある係止機構と係脱する係止手段５が回動できるように下ろくろ４の周壁に枢支されているので、頻繁に使用することによって下ろくろ４から脱落するといった故障が生じ易い、という欠点がある。
【００１２】
そこで、本発明は、構造がより丈夫で、頻繁に使用しても故障しにくい傘の下ろくろ係脱装置を提供することを目的とする。
【課題を解決するための手段】
【００１３】
前記目的を達成するため、本発明は、傘の開閉を行うため、前記傘の中棒に沿って摺動可能に取り付けられる下ろくろと、前記中棒の長手方向を横断する所定の方向に移動できるように前記下ろくろに設けられており、且つ、前記中棒の横断方向の移動により前記下ろくろの前記中棒に対する摺動を不可能にする第一状態と、該摺動を可能にする第二状態とに切り替えることができるように構成されている係止手段と、前記下ろくろの外面に、前記中棒の長手方向に移動できるように設けられており、且つ、前記中棒の長手方向の移動によって前記係止手段の前記第二状態と前記第一状態との切替えを操作することができるように構成されている操作ユニットとからなるアセンブリーを備えている傘の下ろくろ係脱装置を提供する。
【００１４】
本発明の実施態様として、前記アセンブリーが前記傘の中棒に取り付けられた場合、前記係止手段は通常前記第二状態を呈する位置に置かれるが、前記操作ユニットの操作により開傘位置に押動されると前記第一状態を呈する位置に移動できるように構成されているものが挙げられる。
【００１５】
また、前記傘の下ろくろ係脱装置は、前記中棒に設置されている係止機構をも備えており、前記アセンブリーが前記傘の中棒に取り付けられた状態で、開傘位置に押動された場合、該係止機構は前記第一状態を呈した係止手段を係止することができるようになっている。
【発明の効果】
【００１６】
前記構成による傘の下ろくろ係脱装置は、その係止手段が材料の弾性変形により係脱操作が行われるものではないので、変形することはなく、また、下ろくろに枢支されてもいないのでそれから脱落することもない。よって、構造がより丈夫であるため、頻繁に使用されても故障しにくい。
【図面の簡単な説明】
【００１７】
【図１】特許文献１の傘の下ろくろ係脱装置の分解斜視図である。
【図２】特許文献２の傘の下ろくろ係脱装置におけるアセンブリーの分解斜視図である。
【図３】本発明の実施例１のアセンブリーＡの分解斜視図である。
【図４】実施例１のアセンブリーＡが傘の中棒に取り付けられ、操作ユニット３０の下向きの移動により押動される時の部分縦断面図である。
【図５】実施例１のアセンブリーＡが傘の中棒に取り付けられ、操作ユニット３０の上向きの移動により開傘位置に押動された時の部分縦断面図である。
【図６】実施例２のアセンブリーＡ’が傘の中棒に取り付けられ、操作ユニット３０の下向きの移動により押動される時の部分縦断面図である。
【図７】実施例２のアセンブリーＡ’が傘の中棒に取り付けられ、操作ユニット３０の上向きの移動により開傘位置に押動された時の部分縦断面図である。
【発明を実施するための形態】
【００１８】
本発明の傘の下ろくろ係脱装置は、図３及び図６に示すように、下ろくろ（１０、１０’）と、係止手段（２０、２０’）と、操作ユニット（３０、３０’）とからなっているアセンブリー（Ａ，Ａ’）を備えている。
【００１９】
また、本発明の傘の下ろくろ係脱装置は、更に、図４、図５及び図６に示すように、傘の中棒（１００、１００’）に取り付けられている係止機構（１１０、１１０’）をも備えている。
【００２０】
以下、実施例１及び実施例２を挙げてその具体的構成を説明する。
【実施例１】
【００２１】
まず、図３から図５を参照しながら実施例１を説明する。
【００２２】
図３は、本発明の実施例１におけるアセンブリーＡの分解斜視図である。
【００２３】
図示のように、アセンブリーＡは、下ろくろ１０と、係止手段２０と、操作ユニット３０とからなっている。
【００２４】
図４は、アセンブリーＡが傘の中棒に取り付けられ、操作ユニット３０の下向き移動により押動される時の部分縦断面図であり、図５は、アセンブリーＡが傘の中棒に取り付けられ、操作ユニット３０の上向き移動により開傘位置に押動された時の部分縦断面図である。
【００２５】
中棒１００に取り付けられたアセンブリーＡにおける下ろくろ１０は、図示のように、中棒１００に挿し通されているとともに、中棒１００の長手方向Ｌに沿って摺動可能になっている。
【００２６】
図３に示すように、下ろくろ１０は、長手方向Ｌに直交して並列配置されている上下二枚の端板１１，１２と、該上下二枚の端板の間に、中棒の両側に互いに平行に配置されている二枚の側板１１１，１１１とからなっている。即ち、下ろくろ１０には、長手方向Ｌの横断方向Ｘに下ろくろ１０を貫通する通路１４が二枚の側板１１１，１１１に挟まれるように形成されている。
【００２７】
また、係止手段２０は、二枚の側板１１１，１１１に案内されて横断方向Ｘに移動できるように通路１４内に設けられている。係止手段２０は略円環形であり、また、図４及び図５に示すように、アセンブリーＡが中棒１００に取り付けられた場合、中棒１００に挿し通すことができるようになっている。また、係止手段２０の略円環形における外周面２１は、横断方向Ｘの一側にある第一周面２１１と、該第一周面２１１の反対側にある第二周面２１２を有する。
【００２８】
外周面２１における第一周面２１１の開傘側にある端縁、即ち図中第一周面２１１の上側の端縁に第一カム面２４が突出し、第二周面２１２の閉傘側にある端縁、即ち第二周面２１２の下側の端縁に第二カム面２５が突出するように設けられている。
【００２９】
さらに、係止手段２０の中棒１００に向かう内周面２２の上側の端縁における、第一カム面２４の反対側に係止ブロック２６が形成されている。
【００３０】
操作ユニット３０は、図３、図４に示すように、円環形とされているとともに、下ろくろ１０の外面に上下に摺動可能であり、且つ、その摺動が下ろくろ１０における二枚の端板１１、１２により上下から制限されるように設けられている。また、下端板１２を介して下ろくろ１０を下へ押すことができる。この実施例において、操作ユニット３０が下端板１２を介して下ろくろ１０を下へ押す際に接触する箇所は、下ろくろ１０側では、下端板１２における外周縁沿いに設けられた、通路１４の開口部に臨んでいる突出部１３だけであり、一方、操作ユニット３０側では、操作ユニット３０下端縁ではなく、内周面３１に、突出部１３を下へと押すことができるように形成されている肩部３６である。
【００３１】
また、操作ユニット３０の下ろくろ１０の外面に対する摺動は、操作ユニット３０の内周面３１に形成されている二つの溝３７，３７に二枚の側板１１１，１１１が嵌り、それぞれを上下に動かすことによって行われるので、操作ユニット３０の周方向への回転が制限される。
【００３２】
更に、操作ユニット３０の内周面３１の互いに向かい合っている両側にそれぞれ第一肩面３４１と第二肩面３５１が形成されている。第一肩面３４１は、斜面であり、該斜面の下方に連続している小径面３４２と、該斜面の上方に連続している大径面３４３とによって階段状となるように構成され、第二肩面３５１は、水平面であり、該水平面の上方に連続している小径面３５２と、該水平面の下方に連続している大径面３５３とによって階段状となるように構成されている。
【００３３】
図４及び図５は、アセンブリーＡが、管形中棒１００に取り付けられた状態を示しており、そのうち図４はアセンブリーＡが閉傘位置にある状態を示しており、図５はアセンブリーＡが開傘位置にある状態を示している。また、中棒１００の表面には係止機構１１０としての通孔があいている。
【００３４】
図４に示すように、アセンブリーＡが閉傘位置にある場合、操作ユニット３０の肩部３６及び第二肩面３５１が下ろくろ１０の突出部１３に係止されているので、操作ユニット３０は下ろくろ１０から抜けることはない。開傘する時、操作ユニット３０を長手方向Ｌに沿って上方へ押動すると、まず、下ろくろ１０に沿って摺動してから、第一肩面３４１が第一カム面２４と当接してから第一カム面２４を押すことによって、アセンブリーＡ全体を上へ摺動させると共に、第一カム面２４によって第一肩面３４１からの上への押動力を横断方向Ｘに変えて、係止ブロック２６が中棒１００の係止機構１１０に嵌る方向（即ち、図４及び図５における左の方）へ移動するように係止手段２０全体を移動させることができる。
【００３５】
よって、図５に示すように、アセンブリーＡが開傘位置まで押動された場合、係止手段２０の係止ブロック２６が係止機構１１０としての通孔に入ってそこに係止され、下ろくろ１０の中棒１００に対する摺動が不可能になる第一状態となる。
【００３６】
なお、係止手段２０全体が、下ろくろ１０の中棒１００に対する摺動を不可能にする第一状態を呈する位置にある際、図５に示すように、操作ユニット３０の第二肩面３５１を有する階段状部分は、小径面３５２が係止手段２０の外周面２１における第二周面２１２と当接し、大径面３５３が第二カム面２５に臨むようになっている。
【００３７】
以上により、本実施例の下ろくろ係脱装置では、操作ユニット３０の操作により係止手段２０全体を第一状態にし、アセンブリーＡを開傘位置に係止することができる。
【００３８】
さらに、アセンブリーＡを開傘位置から外して閉傘する時、操作ユニット３０を長手方向Ｌに沿って下方へ押動すると、第二肩面３５１が第二カム面２５と当接し、第二カム面２５を押すことにより、第二肩面３５１による下への押動力は第二カム面２５によって横断方向Ｘに変わり、係止ブロック２６が中棒１００の係止機構１１０としての通孔から離脱する方向（即ち、図４及び図５における右の方）へ移動するように係止手段２０全体を移動させることができる。
【００３９】
よって、図４に示すように、アセンブリーＡが開傘位置から閉傘位置に押動された場合、係止手段２０は、係止ブロック２６が係止機構１１０としての通孔から離脱し、下ろくろ１０の中棒１００に対する摺動が可能になる第二状態となる。
【００４０】
なお、係止手段２０全体が、下ろくろ１０の中棒１００に対する摺動を可能にする第二状態を呈する位置にある場合、図４に示すように、操作ユニット３０の第一肩面３４１を有する階段状部分は、小径面３４２が係止手段２０の外周面２１における第一周面２１１と当接し、大径面３４３が第一カム面２４に臨むようになっている。
【００４１】
以上により、本実施例の下ろくろ係脱装置では、操作ユニット３０の操作により係止手段２０全体を第一状態から第二状態に変え、アセンブリーＡ全体を下へ摺動することができる。
【実施例２】
【００４２】
以下、図６及び図７を参照しながら本発明の実施例２を説明する。
【００４３】
実施例２の傘の下ろくろ係脱装置は、そのアセンブリーＡ’の構成が実施例１のものとほぼ同様であるので、以下は相違点についてのみ説明する。
【００４４】
まず、係止ブロック２６’は係止手段２０’の内周面２２’の下方にある端縁の、第一周面２１１’の裏側に形成されている。
【００４５】
次に、図６及び図７は、アセンブリーＡ’が中棒１００’に取り付けられた状態を示している。図６はアセンブリーＡ’が閉傘位置にある状態を示しており、図７はアセンブリーＡ’が開傘位置にある状態を示している。図から分かるように、中棒１００’の表面に出没可能なハジキが係止機構１１０’として設置されている。
【００４６】
図６に示すように、開傘する時、操作ユニット３０’を長手方向Ｌに沿って上方へ押動すると、第一肩面３４１’が第一カム面２４’と当接し、第一カム面２４’を押してアセンブリーＡ’全体を上へ摺動させると同時に、第一カム面２４’によって第一肩面３４１’からの上への押動力を横断方向Ｘに変えて、係止ブロック２６’が中棒１００’の方向（即ち、図６及び図７における左の方）へ移動するように係止手段２０全体を移動させることができる。
【００４７】
次に、図７に示すように、アセンブリーＡ’が更に開傘位置まで押動される場合、の係止ブロック２６’が係止機構１１０’としてのハジキに到達すると、係止ブロック２６’が係止機構１１０’を一時押して陥没させて、次いで乗り越えたところで撥ね返った係止機構１１０’に係止ブロック２６’が係止される。よって、係止手段２０’は、下ろくろ１０’の中棒１００’に対する摺動が不可能になる第一状態となる。
【００４８】
なお、係止手段２０’全体が、下ろくろ１０’の中棒１００’に対する摺動を不可能にする第一状態を呈する位置にある場合、図７に示すように、操作ユニット３０’の第二肩面３５１’を有する階段状部分は、小径面３５２’が係止手段２０’の外周面２１’における第二周面２１２’と当接し、大径面３５３’が第二カム面２５’に臨むようになっている。
【００４９】
以上により、本実施例の下ろくろ係脱装置では、操作ユニット３０’の操作で係止手段２０’を第一状態にし、アセンブリーＡ’を開傘位置に係止することができる。
【００５０】
さらに、アセンブリーＡ’を開傘位置から外して閉傘する時、操作ユニット３０’を長手方向Ｌに沿って下方へ押動すると、第二肩面３５１’が第二カム面２５’と当接し、第二カム面２５’を押すことにより、第二肩面３５１’による下への押動力を第二カム面２５’によって横断方向Ｘに変えて、係止ブロック２６’が中棒１００’の係止機構１１０’から離脱する方向（即ち、図６及び図７における右の方）へ移動するように係止手段２０’を移動させることができる。
【００５１】
次に、図６に示すように、アセンブリーＡ’が更に開傘位置から閉傘位置に押動された場合、係止ブロック２６’が係止機構１１０’としてのハジキから離脱する。よって、係止手段２０’は、下ろくろ１０’の中棒１００’に対する摺動が可能になる第二状態となる。
【００５２】
なお、係止手段２０’全体が、下ろくろ１０’の中棒１００’に対する摺動を可能にする第二状態を呈する位置にある際、図６に示すように、操作ユニット３０’の第一肩面３４１’を有する階段状部分は、小径面３４２’が係止手段２０’の外周面２１’における第一周面２１１’と当接し、大径面３４３’が第一カム面２４’に臨むようになっている。
【００５３】
以上により、本実施例の下ろくろ係脱装置では、操作ユニット３０’の操作によって係止手段２０’を第一状態から第二状態に変え、アセンブリーＡ’全体を下へ摺動することができる。
【産業上の利用可能性】
【００５４】
以上のように、本発明の傘の下ろくろ係脱装置を有する傘は、従来のように操作ユニットを上下に動かすことによって係止手段を中棒の係止機構に係止、又は該係止機構から離脱させるが、そのアセンブリーの構造が従来より丈夫であるため、頻繁に使用されても故障しにくい。
【符号の説明】
【００５５】
１００，１００’  中棒
１１０，１１０’  係止機構
１０，１０’  下ろくろ
１１，１１’  上端板
１１１，１１１’  側板
１２，１２’  下端板
１３，１３’  突出部
１４，１４’  通路
２０，２０’  係止手段
２１，２１’  外周面
２１１，２１１’  第一周面
２１２，２１２’  第二周面
２２，２２’  内周面
２４，２４’  第一カム面
２５，２５’  第二カム面
２６，２６’  係止ブロック
３０，３０’  操作ユニット
３１，３１’  内周面
３４１，３４１’  第一肩面
３４２，３４２’  小径面
３４３，３４３’  大径面
３５１，３５１’  第二肩面
３５２，３５２’  小径面
３５３，３５３’  大径面
３６，３６’  肩部
３７，３７’  溝
Ａ，Ａ’  アセンブリー
Ｌ  中棒の長手方向
Ｘ  横断方向 
【図１】
2010142635.tif 000003
【図２】
2010142635.tif 000004
【図３】
2010142635.tif 000005
【図４】
2010142635.tif 000006
【図５】
2010142635.tif 000007
【図６】
2010142635.tif 000008
【図７】
2010142635.tif 000009